(57)【要約】  装置は、（ａ）２つの支持された電極の少なくとも１つが透明であり、導電性被覆が互いに対向すると共にエレクトロクロミックシステムとの接触状態となるように、相互の関係において位置決めされた２つの支持された電極と、（ｂ）２つの電気活性層によって形成された電気活性システムの境界線の全体にわたって周辺溝を規定するように、前記２つの支持された電極の間に挟持されると共に前記支持された電極のそれぞれの電極のものよりも小さなエリアを有する電気活性システムと、（ｃ）電気活性システムの境界線の全体にわたって周辺溝を満たすと共に第１の支持された電極と第２の支持された電極の両方との全体的な接触状態にある周辺封止体と、を有し、ポリマー封止体と第１の支持された電極の間の接触エリアとポリマー封止体と第２の支持された電極の間の接触エリアは、それぞれ、１つ又は複数の導電性部分と、１つ又は複数の非導電性部分と、を有し、且つ、ポリマー封止体と第１電極の間の接触エリアの導電性部分が、ポリマー封止体と第２の支持された電極の間の接触エリアの導電性部分と決して対向していないという更なる条件を伴うことを特徴としている。
2015506502.tif 000002
【特許請求の範囲】
【請求項１】
電気的に制御可能な装置であって、
（ａ）２つの支持された電極であって、導電性被覆（２）によって１つの面上において被覆された非導電性基板（１）からそれぞれが構成され、２つの電極の少なくとも１つが透明であり、前記導電性被覆が互いに対向すると共にエレクトロクロミックシステムとの接触状態となるように、相互の関係において位置決めされた２つの支持された電極と、
（ｂ）２つの電気活性層によって形成されたエレクトロクロミックシステム（４）であって、有機ポリマーに基づいた電解質の層によって分離され、２つの電気活性層の少なくとも１つがエレクトロクロミック層であり、前記エレクトロクロミックシステムの境界線の全体にわたって周辺溝を規定するように、前記２つの支持された電極の間に挟持されると共に前記支持された電極のそれぞれの電極のものよりも小さなエリアを有するエレクトロクロミックシステム（４）と、
（ｃ）水蒸気に対する不透過性を有する有機ポリマーから製造された周辺封止体（５）であって、前記エレクトロクロミックシステムとの接触状態となることなしに、第１の支持された電極及び第２の支持された電極の両方との全体的な接触状態にありつつ、前記エレクトロクロミックシステムの前記境界線の全体にわたって前記周辺溝を満たしている周辺封止体（５）と、
を有する電気的に制御可能な装置において、
ポリマー封止体と前記第１の支持された電極の間の接触エリア及びポリマー封止体と前記第２の支持された電極の間の接触エリアは、それぞれ、１つ又は複数の導電性部分（６）と、１つ又は複数の非導電性部分（３）と、を有し、且つ、
ポリマー封止体と前記第１電極の間の前記接触エリアの導電性部分（６）が、ポリマー封止体と前記第２の支持された電極の間の前記接触エリアの導電性部分（６）と対向してはいないという更なる条件を伴うことを特徴とする装置。
【請求項２】
２つの支持された電極は透明であることを特徴とする請求項１に記載の電気的に制御可能な装置。
【請求項３】
２つの支持された電極のうちの一方は、透明であり、且つ、他方は、反射性であることを特徴とする請求項１に記載の電気的に制御可能な装置。
【請求項４】
１つ又は複数の透明な支持された電極は、透明な導電性被覆によってその面のうちの１つの面上において被覆された、好ましくは、無機又は有機ガラスから製造された、透明な非導電性支持部から形成されることを特徴とする請求項１〜３の何れか一項に記載の電気的に制御可能な装置。
【請求項５】
透明な導電性被覆は、透明導電性酸化物（ＴＣＯ）又は金属層を含む透明な薄膜積層体であることを特徴とする請求項４に記載の電気的に制御可能な装置。
【請求項６】
両方の支持された電極は、基本的に同一の寸法を有することを特徴とする請求項１〜５の何れか一項に記載の電気的に制御可能な装置。
【請求項７】
両方の支持された電極は、前記第１の支持された電極の導電性ゾーン（９）及び前記第２の支持された電極の導電性ゾーン（９’）が２つの電極のオーバーラップのエリアを超えて突出し、これにより、導電性ゾーンのそれぞれが電気コネクタ（７）との接触状態にあるように、相互の関係においてオフセットされた方式で重畳されていることを特徴とする請求項１〜６の何れか一項に記載の電気的に制御可能な装置。
【請求項８】
周辺封止体によって境界線が定められたエリアを超えて突出する前記導電性被覆（２）に接続された電気コネクタ（７）を更に有することを特徴とする請求項１〜７の何れか一項に記載の電気的に制御可能な装置。
【請求項９】
２つの電気活性層及び電解質によって形成されたエレクトロクロミックシステムは、５０μｍ〜５００μｍの、好ましくは、７０μｍ〜３００μｍの、且つ、特に、８０〜２００μｍの、全体厚さを有することを特徴とする請求項１〜８の何れか一項に記載の電気的に制御可能な装置。
【請求項１０】
封止体は、１０11Ω．ｃｍ未満の、好ましくは、１０8Ω．ｃｍ未満の、並びに、特に、１０5Ω．ｃｍ未満の抵抗率を有することを特徴とする請求項１〜９の何れか一項に記載の電気的に制御可能な装置。
【請求項１１】
封止体は、好ましくは、カーボンブラックによって充填されたポリイソブチレンから製造されることを特徴とする請求項１〜１０の何れか一項に記載の電気的に制御可能な装置。
【発明の詳細な説明】
【技術分野】
【０００１】
本出願は、周辺封止体と、封止体及び活性ゾーンを超える装置の電気接続を可能にする電極のシステムと、を有するエレクトロクロミック（electrochromic）型の電気的に制御可能な装置に関する。
【背景技術】
【０００２】
電気的に制御可能な又は電気活性を有する板ガラス及びミラーは、非導電性基板上の導電性被覆から形成された２つの支持された電極の間に挟持された、例えば、エレクトロクロミックシステム、液晶システム、又は発光システムなどの活性システムから形成されている。
【０００３】
このような電気活性装置は、ごく微量であっても水の影響を非常に受け易く、且つ、水蒸気に対する密封性を含むその水密性が完全に補償されていない場合には、時間に伴って劣化することになる。このような電気的に制御可能な装置の水蒸気に対する密封性は、様々なタイプの封止体によって保証されてもよい。有効なものとなるには、この封止体は、本質的に水蒸気に対する密封性を有していなければならないだけでなく、基板に対して良好に接着し、組み合わせられる活性システムとの良好な化学的適合性を有し、且つ、最後に、システムの短絡を回避するために良好な電気絶縁体でなければならない。
【０００４】
水蒸気に対する密封性を有する封止体として、エポキシ樹脂及びその他の架橋有機樹脂を使用することが知られている。但し、これらの材料は、水蒸気に対する不完全な障壁である。
【０００５】
ポリイソブチレンは、熱可塑性であるのか又は架橋コモノマー（ブチルゴム）の存在に起因して架橋状態にあるのかを問わず、この分野における最良のポリマーの１つである。具体的には、ポリイソブチレンは、気体に対する大きな不透過性と、経年変化に対する且つ腐食性化学薬品に対する優れた抵抗力と、を有する。ポリイソブチレンは、二重板ガラスユニット及び太陽電池パネル内の封止体として広く使用されている。ポリイソブチレンは、一般に、カーボンブラックを含有し、カーボンブラックは、その特徴的な黒色をポリイソブチレンに付与し、且つ、低導電率をも付与する。市販されているブチル封止体の体積抵抗率は、約１０8〜１０12Ω．ｃｍである。
【０００６】
この抵抗率は、電極の２つの導電層の間の距離が少なくとも数百マイクロメートルであり、或いは、場合によっては、数ミリメートルである相対的に厚い電気活性システム内において障害物とならないように、十分に大きい。
【発明の概要】
【発明が解決しようとする課題】
【０００７】
２つの電極を互いに事実上絶縁するためにブチル封止体の抵抗値が小さくなり過ぎるのは、厚さが、非常に小さい、即ち、約５００μｍ未満である場合のみである。この問題に対する１つの解決策は、もはや電極の導電性部分との接触状態とならないように、即ち、導電性部分によってカバーされた基板のエリアの外部となるように、封止体を位置決めするステップを有することができよう。但し、これには、板ガラス内への、即ち、封止体によって漏れ止めされた方式で閉じ込められた電気活性ゾーン内への、電気的に制御可能な装置の電極の接続が必要となろう。このような接続は、相対的に厚いシステムの場合には、複雑になり、且つ、接続ワイヤの太さが２つの基板の間の距離をしばしば上回る本発明のものなどの薄いシステムの場合には、実現することがほとんど不可能になる。
【課題を解決するための手段】
【０００８】
従って、本出願人は、周辺封止体によって制限されたゾーンを超えた電気接続を許容するシステムの開発を試みた。このシステムは、２つの電極の間の短絡のリスクを伴うことなしに、小さな厚さ（５００μｍ未満）においても、カーボンブラックによって充填されたブチル封止体などの特定の電子導電性を有する周辺封止体の使用を更に許容する必要がある。
【０００９】
本発明は、支持電極との間の周辺封止体の接触のエリアにおいて、第２電極の１つ又は複数の導電性ゾーンから第１電極の１つ又は複数の導電性ゾーンを十分に離隔させるという概念に基づいている。「十分」な距離は、当然のことながら、封止体の導電率の関数である。これが大きいほど、一方の電極の１つ又は複数のゾーンは、他方の電極の１つ又は複数のゾーンから更に離隔しなければならない。
【００１０】
本出願人は、一般に市販されていると共に本出願人が使用を所望するカーボンブラックによって充填されたブチル封止体の場合には、封止体の電子導電性は、２つの電極の個々の導電性ゾーンが互いに対向していない際には、短絡の原因とならないことに気付いた。
【００１１】
従って、本発明の主題の１つは、電気的に制御可能な装置であり、この装置は、
（ａ）導電性被覆によってその面のうちの１つの面上において被覆された非導電性基板からそれぞれが構成された、そのうちの少なくとも１つが透明である、２つの支持された電極であって、導電性被覆が互いに対向すると共にエレクトロクロミックシステム（ｂ）との接触状態となるように、相互の関係において位置決めされた２つの支持された電極と、
（ｂ）その少なくとも１つがエレクトロクロミック層である２つの電気活性層によって形成されたエレクトロクロミックシステムであって、２つの電気活性層は、有機ポリマーに基づいた電解質の層によって分離されており、エレクトロクロミックシステムの境界線の全体にわたって周辺溝を規定するように、２つの支持された電極の間に挟持されると共に支持された電極のそれぞれの電極よりも小さなエリアを有するエレクトロクロミックシステムと、
（ｃ）水蒸気に対する不透過性を有する有機ポリマーから製造された周辺封止体であって、エレクトロクロミックシステムの境界線の全体にわたって前記周辺溝を充填しており、且つ、エレクトロクロミックシステムとの接触を伴うことなしに、第１の支持された電極と第２の支持された電極の両方との全体的な接触状態にある周辺封止体と、
を有し、
ポリマー封止体と第１の支持された電極の間の接触エリア及びポリマー封止体と第２の支持された電極の間の接触エリアは、それぞれ、
導電性被覆が存在する１つ又は複数の導電性部分と、
導電性被覆を有していない、又はエレクトロクロミックシステムとの接触状態にある導電性被覆から電気的に絶縁された導電性被覆が提供された、１つ又は複数の非導電性部分と、
を有し、且つ、
ポリマー封止体と第１電極の間の接触エリアの導電性部分が、ポリマー封止体と第２の支持された電極の間の接触エリアの導電性部分と対向していないという更なる条件を伴うことを特徴とする。
【００１２】
換言すれば、接触エリアのうちの一方の接触エリアの導電性部分は、常に、他方の接触エリアの非導電性部分と対向している。
【００１３】
導電性部分が、決して、別の導電性部分と「対向」してはならないこと、すなわち、常に非導電性部分と「対向」していなければならないというこの不可欠の条件は、当然のことながら、互いに平行であること、すなわち、電極のプレーンに対して垂直の任意のまっすぐなラインが、２つの導電性部分を通過していないことを意味している。
【００１４】
その一方において、一方の接触エリアの非導電性部分にとって、他方の接触エリアの非導電性部分と対向していることは、決して、有害ではない。
【００１５】
封止体と電極の間の接触エリアとの関連において使用されている「導電性部分」という表現は、本発明においては、電極の導電性被覆が、存在していると共に、導電性被覆の主要なゾーンとの導電性接触状態にあるエリアを表している。換言すれば、本発明の装置の電源が投入された際に、導電性部分には、電流が通過する。
【００１６】
封止体と電極の間の接触エリアとの関連において使用されている「非導電性部分」という表現は、本出願においては、導電性被覆が存在しておらず、且つ、封止体が非導電性支持部との直接的な接触状態にあるゾーン、又は導電性被覆が存在しているが、導電性被覆の主要ゾーンから、即ち、エレクトロクロミックシステムとの接触状態にある導電性被覆のゾーンから、電気的に絶縁されているゾーンを表している。換言すれば、本発明の装置の電源が投入された際に、接触エリアの非導電性部分には、本質的に導電性の但し電気絶縁された被覆の任意選択の存在にも拘わらず、電流が通過しない。
【００１７】
本発明による装置は、２つの支持された電極を有し、そのうちの少なくとも１つは、透明である。一実施形態においては、支持された電極は、いずれも、透明である。その結果、本発明による装置は、板ガラス、好ましくは、エレクトロクロミック板ガラスである。
【００１８】
支持された電極のうちの１つのみが透明である際には、他方の電極は、好ましくは、反射性電極である。その結果、本発明による装置は、ミラー、好ましくは、エレクトロクロミックミラーである。
【００１９】
１つ又は複数の透明な支持された電極は、その面のうちの１つの面上において透明な導電性被覆によって被覆された無機又は有機ガラスから製造された透明な非導電性支持部から形成される。無機ガラスは、例えば、フロートガラスであり、且つ、有機ガラスは、ポリ（メチルメタクリレート）（ＰＭＭＡ）、ポリカーボネート（ＰＣ）、ポリ（エチレンテレフラレート）（ＰＥＴ）、ポリ（エチレンナフタノエート）（ＰＥＮ）、及びシクロオレフィンコポリマー（ＣＯＣ）から形成された群から選択されたポリマーに基づいたものであってもよい。
【００２０】
透明な導電性被覆は、当技術分野において既知である。
【００２１】
これらは、例えば、銀、金、プラチナ、及び銅の層などの金属層を有する透明な薄膜積層体である。或いは、さもなければ、導電性被覆は、電気的に制御可能な装置内において透明電極として一般に使用されている透明導電性酸化物（Ｔｒａｎｓｐａｒｅｎｔ  Ｃｏｎｄｕｃｔｉｖｅ  Ｏｘｉｄｅ：ＴＣＯ）から形成されてもよい。これらのＴＣＯとして、例えば、すずドーピングされた酸化インジウム（Ｉｎ2Ｏ3：Ｓｎ又はＩＴＯ）、アンチモンドーピングされた酸化インジウム（Ｉｎ2Ｏ3：Ｓｂ）、フッ素ドーピングされた酸化すず（ＳｎＯ2：Ｆ）、並びに、例えば、アルミニウムによって又はガリウムによってドーピングされた酸化亜鉛（ＡＺＯ又はＧＺＯ）が挙げられよう。
【００２２】
本発明の好適な一実施形態においては、２つの支持された電極は、基本的に、同一の形状及び同一のサイズを有する。これらは、完全なオーバーレイにより、即ち、それらの個々のエッジが完全にアライメントされた状態において、互いに重畳されることが可能である。
【００２３】
但し、この完全な重畳は、本発明の装置の好適な実施形態に対応するものではない。その理由は、２つの電極（ａ）の間に挟持されたエレクトロクロミックシステム（ｂ）が特に薄い際には、２つの電極の間のギャップが、その中に電流リード線を挿入するのに不十分なものとなる場合があるからである。従って、電気接続の準備作業においてそれぞれの電極の導電性エッジに容易にアクセス可能となるように、２つの電極を相互の関係においてオフセットさせることが有利である。
【００２４】
従って、本発明の特に有利な一実施形態においては、装置の２つの支持された電極は、第１の支持された電極の導電性ゾーンと第２の支持された電極の導電性ゾーンが２つの電極のオーバーラップエリアを超えて突出するように、相互の関係においてオフセットされた方式で重畳されている。最終的な装置においては、これらの導電性ゾーンのそれぞれは、電気コネクタに接続されており、換言すれば、電気コネクタは、支持された電極の導電性被覆との接触状態にある。
【図面の簡単な説明】
【００２５】
【図１ａ】非導電性ゾーンの一実施形態であって、導電性被覆によってその主表面の一部分上においてカバーされた基板からそれぞれが構成された矩形形状（辺ａ、ｂ、ｃ、ｄ）の２つの電極を示す図である。
【図１ｂ】エレクトロクロミックシステムが、重畳された２つの電極の間に挟持された未完成の装置の断面図である。
【図１ｃ】周辺溝を部分的に充填するブチル封止体のストリップによって完成した図１ｂの装置を示す図である。
【図１ｄ】図１ｃの装置の１つのエッジの拡大図である。
【図２ａ】非導電性ゾーンの一実施形態であって、非導電性ゾーンが、導電性被覆の残りの部分から絶縁されている本質的に導電性を有する被覆によってカバーされている図である。
【図２ｂ】本実施形態において、図１ｂに対応する図である。
【図２ｃ】本実施形態において、図１ｃに対応する図である。
【図２ｄ】本実施形態において、図１ｄに対応する図である。
【図３】非導電性基板上における導電性被覆の、且つ、非導電性ゾーンの一つの形状を示す図である。
【図４】非導電性基板上における導電性被覆の、且つ、非導電性ゾーンの他の一つの形状を示す図である。
【図５】本発明による装置の特に好適な一実施形態を示す断面図である。
【発明を実施するための形態】
【００２６】
以下、図５を参照し、接続の良好なアクセス可能性を実現するために電極が部分的にオーバーレイされている特に有利な実施形態における接触について説明することとする。
【００２７】
電気活性層は、好ましくは、無機材料から構成されている。好適なエレクトロクロミック無機化合物の例として、酸化タングステン、酸化ニッケル、酸化イリジウム、酸化ニオビウム、酸化すず、酸化ビスマス、酸化アンチモン、及び酸化タンタルから形成された群から選択されたものが挙げられよう。
【００２８】
一実施形態においては、２つの電気活性材料は、エレクトロクロミック材料である。このケースにおいては、これらは、一般に、同時に着色されるように選択され、換言すれば、材料のうちの一方が陽極着色を有し、且つ、他方が陰極着色を有する。
【００２９】
別の実施形態においては、電気化学的活性を有する無機材料のうちの一方のみがエレクトロクロミック特性を有しており、他方は、その酸化の程度とは無関係である透過特性を有し、且つ、エレクトロクロミック材料用のカウンタ電極の一部分の役割を果たしている。
【００３０】
当然のことながら、エレクトロクロミック材料は、相互の混合物として、或いは、適宜、チタニウム、タンタル、又はレニウムなどの少なくとも１つの金属との混合物として、使用されてもよい。
【００３１】
陰極着色を有するエレクトロクロミック材料として、好ましくは、還元された状態において青色を有し、且つ、酸化された状態において無色である酸化タングステンが使用されることになる。酸化タングステンは、しばしば、陽極着色を有するエレクトロクロミック材料として、酸化ニッケル又は酸化イリジウムとの組合せで、使用される。
【００３２】
非エレクトロクロミック電気化学的活性材料の一例として、酸化セリウムが挙げられよう。
【００３３】
有機ポリマーに基づいた電解質の例として、燐酸（Ｈ３ＰＯ４）がドーピングされたポリ（酸化エチレン）（ＰＥＯ）に基づいた電解質、極性有機溶剤中に溶解したリチウム塩がドーピングされたポリ（ビニルブチラル）に基づいた電解質、或いは、さもなければ、アイオノマー、即ち、Ｈ+又はアルカリ金属対イオンによって提供されるその陽イオン伝導性が、ドーピング剤が存在していない状態においても、満足なものとなるように、十分な共有結合負電荷を担うポリ電解質が挙げられよう。このようなアイオノマーの例として、Ｎａｆｉｏｎ（登録商標）という名称で販売されているテトラフルオロエチレン及びパーフルオロスルホン酸のコポリマーが挙げられよう。
【００３４】
本発明の電気活性層の、且つ、装置の、ポリマー電解質の厚さは、原則的に、制限されてはいないが、以上においては、本発明の封止システムが、導電性及び非導電性ゾーンのその特定の形状により、非常に薄いエレクトロクロミックシステムと共に動作する装置にとって特に有利である理由を説明している。実際に、短絡のリスクの、且つ、電流リード線の挿入の、問題に直面するのは、２つの支持された電極の間のギャップが非常に小さい際である。
【００３５】
この結果、本発明の装置の特に好適な一実施形態においては、２つの電気活性層及び電解質によって形成されたエレクトロクロミックシステムは、５０μｍ〜５００μｍの、特に、７０μｍ〜３００μｍの、特に好ましくは、８０〜２００μｍの、全体厚さを有する。
【００３６】
本発明が有用性を有する導電性閾値を封止体について示すことは困難である。実際に、この閾値は、封止体の厚さの関数として変化する。封止体が厚くなるほど、封止体は、問題を呈することなしに、相対的に大きな導電性を有することになろう。
【００３７】
目安として、本出願人は、本発明は、１０11Ω．ｃｍ未満の、好ましくは、１０8Ω．ｃｍ未満の、且つ、特に、１０5Ω．ｃｍ未満の、抵抗率を有する封止体において有用であることを見出した。
【００３８】
本発明の装置の周辺封止体は、好ましくは、カーボンブラックによって充填されたポリイソブチレンから製造される（ブチル封止体）。
【００３９】
非常に薄い（２００μｍ未満の厚さの）ブチル封止体が使用される際には、特定のケースにおいては、２つの電極の間の空隙が、短絡のリスクを防止するために不十分なものとなる場合がある。封止体が薄く、且つ、その導電性が大きいために、これらのリスクは、場合によっては、更に大きくなる。従って、封止体と第１電極の間の接触のエリアの１つ又は複数の導電性部分を、第２電極との間の封止体の接触のエリアの１つ又は複数の導電性部分から、更に離れるように、移動させることが推奨される。換言すれば、これらのゾーンが互いに対向しないようにすることは、すべてのケースにおいて、十分なものとなるわけでなく、且つ、更なる「水平方向」のオフセットを、即ち、電極のプレーンの方向におけるオフセットを、提供することが必要になる。この「水平方向」のオフセットは、好ましくは、少なくとも１００μｍであり、特に、少なくとも２００μｍに等しく、且つ、理想的には、少なくとも５００μｍに等しい。
【００４０】
２つの電気活性層及び電解質によって形成されたエレクトロクロミックシステムとの接触状態にならないように封止体が位置決めされることが保証されることになる。
【００４１】
本発明の別の主題は、本発明による装置を製造する方法である。
【００４２】
この方法は、導電性被覆によってその面のうちの１つの面上において被覆された非導電性基板からそれぞれが形成された、その少なくとも１つが透明である、２つの支持された電極の提供を有する。これらの支持された電極のそれぞれは、その主要な面のうちの１つの面の周囲に、導電性ゾーンと非導電性ゾーンの両方を有していなければならない。
【００４３】
導電性ゾーンは、非導電性基板が、電極の中心から、好ましくは、そのエッジまで延在する導電性被覆によってカバーされたゾーンである。非導電性ゾーンは、導電性被覆を有していないゾーンであるか、又は導電性被覆の一部が、支持された電極の中央部分をカバーする導電性被覆の残りの部分から絶縁されているゾーンである。
【００４４】
図１ａ〜図１ｄ及び図２ａ〜図２ｄは、非導電性ゾーンのこれらの２つの実施形態を示している。
【００４５】
図１ａは、導電性被覆２によってその主表面の一部分上においてカバーされた基板１からそれぞれが構成された矩形形状（辺ａ、ｂ、ｃ、ｄ）の２つの電極を示している。導電性被覆２は、基板の表面の全体をカバーしてはおらず、且つ、従って、矩形の２つの辺において延在する基板のエッジに、ゾーン３を自由な状態において残している。このゾーン３は、本出願において「非導電性ゾーン」又は「非導電性部分」と呼ばれているものに対応している。これは、例えば、導電性被覆２のレーザー除去によって得ることができる。同一の文字を有する辺を合わせることにより、２つの電極が矢印の方向において重畳された際に、一方の電極の非導電性ゾーン３が、この第１の電極に対向している他方の電極の導電性周辺ゾーンと対向することになり、且つ、逆も又真である。
【００４６】
図１ｂは、エレクトロクロミックシステム４が、上述の方式によって重畳された２つの電極の間に挟持された未完成の装置の断面である。このエレクトロクロミックシステムは、電極のそれぞれよりも小さなエリアを有し、且つ、従って、周辺溝が、支持された電極のエッジにより、その境界線にわたって規定されている。
【００４７】
図１ｃは、周辺溝を部分的に充填するブチル封止体のストリップ５によって完成した図１ｂの装置を示している。ブチル封止体５は、エレクトロクロミックシステム４との接触状態にならないように、配置されている。
【００４８】
最後に、図１ｄは、図１ｃの装置の１つのエッジの拡大図を示している。ブチル封止体５は、一方の面上において、一方の電極の非導電性ゾーン３との接触状態にあり、且つ、他方の面上においては、第１の電極と対向している電極の導電性ゾーン６との接触状態にある。電気コネクタ７が、ブチル封止体によって境界が定められたゾーンを超えて突出している導電性被覆２に接続されている。
【００４９】
図２ａ〜図２ｄは、非導電性ゾーン３が、導電性被覆２の残りの部分から絶縁されている本質的に導電性を有する被覆８によって部分的にカバーされているという事実のみにおいて、図１ａ〜図１ｄと異なっている。本発明の装置の電源が投入された際には、被覆８ではなく、導電性被覆２にのみ、電流が通過する。従って、被覆８の存在は、短絡問題を生成しうる導電性ゾーンを生成しない。
【００５０】
図３及び図４は、非導電性基板上における導電性被覆２の、且つ、非導電性ゾーン３の、２つのその他の形状を示している。
【００５１】
すべての実施形態において、装置の組立の後に、水密封止体５によって境界が定められた活性（又は、電気活性）ゾーンを超えて延在するように、導電性被覆が、少なくとも小さなゾーン内において、非導電性基板のエッジまで、或いは、ほぼエッジまで、延在していることが重要である。支持された電極の電気接続は、この導電性ゾーンにおいて実施されることになる。
【００５２】
図５は、本発明による装置の特に好適な一実施形態を断面において示しており、この場合には、同一の形状及びサイズの２つの電極が不完全なオーバーレイによって重畳され、この結果、対向するものを有することなしに、それぞれの電極のエッジに１つの導電性ゾーン９、９’が残されている。この導電性ゾーン９、９’は、封止体５の厚さを上回る太さを有する電流リード線との電気接続のために使用することが可能であり、これは、図１ｂ〜図１ｄ及び図２ｂ〜図２ｄに示されている装置においては不可能な接続である。
【図１ａ】
2015506502.tif 000003
【図１ｂ】
2015506502.tif 000004
【図１ｃ】
2015506502.tif 000005
【図１ｄ】
2015506502.tif 000006
【図２ａ】
2015506502.tif 000007
【図２ｂ】
2015506502.tif 000008
【図２ｃ】
2015506502.tif 000009
【図２ｄ】
2015506502.tif 000010
【図３】
2015506502.tif 000011
【図４】
2015506502.tif 000012
【図５】
2015506502.tif 000013
【国際調査報告】
2015506502.tif 000014
2015506502.tif 000015
2015506502.tif 000016
2015506502.tif 000017
2015506502.tif 000018
2015506502.tif 000019